(57)【要約】【課題】試料の透過測定及び反射測定を円滑に行うことができる分光光度計を提供する。【解決手段】積分球１に対する測定光の入射状態を入射切替機構３１で切り替えることにより、第１窓１１から積分球１の内部に測定光を入射させて第２窓１２に導く第１入射状態（図３（ａ））と、第２窓１２から積分球１の内部に測定光を入射させて第１窓１１に導く第２入射状態（図３（ｂ））とに切り替える。これにより、第１窓１１又は第２窓１２に対向するように試料Ｓを設置した場合に、第１入射状態と第２入射状態とを容易に切り替えて、透過測定及び反射測定を行うことができるため、試料Ｓの透過測定及び反射測定を円滑に行うことができる。【選択図】  図３
2015206610.tif 000002
【特許請求の範囲】
【請求項１】
積分球の内部に測定光を入射させ、当該積分球の内面で反射することにより拡散された測定光を検出器で検出する分光光度計であって、
前記積分球には、その周面の異なる位置に第１窓及び第２窓が形成され、当該第１窓又は第２窓に対向するように試料を設置可能となっており、
前記第１窓から前記積分球の内部に測定光を入射させて前記第２窓に導く第１入射状態と、前記第２窓から前記積分球の内部に測定光を入射させて前記第１窓に導く第２入射状態とに切替可能な入射切替機構を備えたことを特徴とする分光光度計。
【請求項２】
測定光を前記積分球に導くための光学系をさらに備え、
前記入射切替機構は、所定の回転軸を中心に前記光学系を回転させることにより、第１入射状態と第２入射状態とを切替可能であることを特徴とする請求項１に記載の分光光度計。
【請求項３】
前記入射切替機構は、所定の回転軸を中心に前記積分球を回転させることにより、第１入射状態と第２入射状態とを切替可能であることを特徴とする請求項１に記載の分光光度計。
【請求項４】
前記積分球の周面には、前記第１窓及び第２窓とは異なる位置に、参照光を入射させるための２つの参照光入射用窓が形成されており、
前記２つの参照光入射用窓は、前記積分球を回転させたときに、第１入射状態と第２入射状態とで位置が入れ替わることを特徴とする請求項３に記載の分光光度計。
【請求項５】
前記第１窓及び第２窓は、前記回転軸に対して対称配置されており、一方から入射した測定光が前記積分球の中心を通って他方に導かれることを特徴とする請求項２〜４のいずれかに記載の分光光度計。
【請求項６】
測定光を前記積分球に導くための光学系をさらに備え、
前記入射切替機構は、前記光学系の一部を測定光の光路上に挿入又は退避させることにより、第１入射状態と第２入射状態とを切替可能であることを特徴とする請求項１に記載の分光光度計。
【発明の詳細な説明】
【技術分野】
【０００１】
本発明は、積分球の内部に測定光を入射させ、当該積分球の内面で反射することにより拡散された測定光を検出器で検出する分光光度計に関するものである。
【背景技術】
【０００２】
従来から、分光測定の方法として、積分球を用いた測定方法が知られている（例えば、下記特許文献１参照）。積分球は、中空状の球体からなり、その内面が白色の拡散反射面により形成されている。これにより、積分球の内部に入射した測定光は、積分球の内面で繰り返し反射することにより拡散された後、積分球の周面に形成された検出用窓から出射して、検出器で検出されるようになっている。
【０００３】
例えば透過測定を行う場合には、積分球の周面に形成された入射用窓に対向するように、測定対象となる試料が設置される。そして、分光器で分光された測定光を試料に透過させ、試料からの透過光を入射用窓から積分球の内部に入射させる。積分球の内部に入射した透過光は、積分球の内面で反射することにより拡散された後、検出器で検出される。
【０００４】
一方、反射測定を行う場合には、積分球の周面における入射用窓とは異なる位置に形成された反射用窓に対向するように、測定対象となる試料が設置される。そして、分光器で分光された測定光を入射用窓から積分球の内部に入射させ、反射用窓を介して試料の表面で反射させる。試料からの反射光は、積分球の内面で反射することにより拡散された後、検出器で検出される。
【先行技術文献】
【特許文献】
【０００５】
【特許文献１】特開平１０−１６０５７１号公報
【発明の概要】
【発明が解決しようとする課題】
【０００６】
上記のような従来の分光測定の方法では、透過測定を行う場合と反射測定を行う場合とで、試料の設置位置が異なる。そのため、試料の透過測定及び反射測定を続けて行う場合などには、試料の設置位置を変更する作業を行わなければならず、測定を円滑に行うことができないという問題があった。
【０００７】
本発明は、上記実情に鑑みてなされたものであり、試料の透過測定及び反射測定を円滑に行うことができる分光光度計を提供することを目的とする。
【課題を解決するための手段】
【０００８】
本発明に係る分光光度計は、積分球の内部に測定光を入射させ、当該積分球の内面で反射することにより拡散された測定光を検出器で検出する分光光度計であって、前記積分球には、その周面の異なる位置に第１窓及び第２窓が形成され、当該第１窓又は第２窓に対向するように試料を設置可能となっており、前記第１窓から前記積分球の内部に測定光を入射させて前記第２窓に導く第１入射状態と、前記第２窓から前記積分球の内部に測定光を入射させて前記第１窓に導く第２入射状態とに切替可能な入射切替機構を備えたことを特徴とする。
【０００９】
このような構成によれば、積分球に対する測定光の入射状態を入射切替機構で切り替えることにより、第１窓から積分球の内部に測定光を入射させて第２窓に導く第１入射状態と、第２窓から積分球の内部に測定光を入射させて第１窓に導く第２入射状態とに容易に切り替えることができる。これにより、第１窓又は第２窓に対向するように試料を設置した場合に、第１入射状態と第２入射状態とを容易に切り替えて、透過測定及び反射測定を行うことができるため、試料の透過測定及び反射測定を円滑に行うことができる。
【００１０】
前記分光光度計は、測定光を前記積分球に導くための光学系をさらに備えていてもよい。この場合、前記入射切替機構は、所定の回転軸を中心に前記光学系を回転させることにより、第１入射状態と第２入射状態とを切替可能であってもよい。
【００１１】
このような構成によれば、回転軸を中心に光学系を回転させるだけの作業で、第１入射状態と第２入射状態とを容易に切り替えて、透過測定及び反射測定を行うことができるため、試料の透過測定及び反射測定をより円滑に行うことができる。
【００１２】
特に、積分球は回転しないため、透過測定及び反射測定のいずれにおいても同じ位置に試料を設置し、光学系を回転させるだけで、透過測定及び反射測定を切り替えることができる。したがって、試料の設置位置が分かりやすく、測定作業を効果的に円滑化することができる。
【００１３】
また、試料が粉体である場合などのように、試料の設置位置によっては試料がこぼれてしまうような場合であっても、試料がこぼれないような設置位置に設定することにより、透過測定及び反射測定のいずれにおいても試料がこぼれるのを防止することができる。
【００１４】
前記入射切替機構は、所定の回転軸を中心に前記積分球を回転させることにより、第１入射状態と第２入射状態とを切替可能であってもよい。
【００１５】
このような構成によれば、回転軸を中心に積分球を回転させるだけの作業で、第１入射状態と第２入射状態とを容易に切り替えて、透過測定及び反射測定を行うことができるため、試料の透過測定及び反射測定をより円滑に行うことができる。
【００１６】
この場合、透過測定を行う場合と反射測定を行う場合とで、積分球の回転に伴い試料の位置が変化することとなるが、試料を一定の位置に設置してから必要に応じて積分球を回転させるような構成とすれば、試料の設置位置が分かりやすく、測定作業を効果的に円滑化することができる。
【００１７】
前記積分球の周面には、前記第１窓及び第２窓とは異なる位置に、参照光を入射させるための２つの参照光入射用窓が形成されており、前記２つの参照光入射用窓は、前記積分球を回転させたときに、第１入射状態と第２入射状態とで位置が入れ替わることが好ましい。
【００１８】
このような構成によれば、回転軸を中心に積分球を回転させた場合に、積分球の周面に形成された２つの参照光入射用窓の位置が、第１入射状態と第２入射状態とで入れ替わる。これにより、一定の位置から照射される参照光を、第１入射状態及び第２入射状態のいずれにおいても参照光入射用窓から積分球の内部に入射させることができるため、参照光の入射位置を切り替えるための作業を行う必要がなく、測定作業をさらに効果的に円滑化することができる。
【００１９】
前記第１窓及び第２窓は、前記回転軸に対して対称配置されており、一方から入射した測定光が前記積分球の中心を通って他方に導かれるようになっていてもよい。
【００２０】
このような構成によれば、回転軸を中心に光学系又は積分球を回転させた場合に、測定光に対する第１窓及び第２窓の位置が、第１入射状態と第２入射状態とで入れ替わり、いずれの入射状態においても、第１窓又は第２窓の一方から入射した測定光が積分球の中心を通って他方に導かれる。したがって、第１入射状態と第２入射状態とで光学系の構成を変更する必要がなく、より簡易な構成を用いて円滑に測定を行うことができる。
【００２１】
前記分光光度計が、測定光を前記積分球に導くための光学系をさらに備えている場合、前記入射切替機構は、前記光学系の一部を測定光の光路上に挿入又は退避させることにより、第１入射状態と第２入射状態とを切替可能であってもよい。
【００２２】
このような構成によれば、光学系の一部を測定光の光路上に挿入又は退避させるだけの作業で、第１入射状態と第２入射状態とを容易に切り替えて、透過測定及び反射測定を行うことができるため、試料の透過測定及び反射測定をより円滑に行うことができる。
【００２３】
また、試料が粉体である場合などのように、試料の設置位置によっては試料がこぼれてしまうような場合であっても、試料がこぼれないような設置位置に設定することにより、透過測定及び反射測定のいずれにおいても試料がこぼれるのを防止することができる。
【００２４】
この場合、第１入射状態と第２入射状態とで光学系の構成を変更し、第１窓又は第２窓の一方から入射した測定光が積分球の中心を通らずに他方に導かれるような構成とすることができる。これにより、反射測定を行う場合に、試料における鏡面反射光を含む測定光を検出器で検出することができるような分光光度計とすることができるため、より適用範囲の広い分光光度計を提供することができる。
【発明の効果】
【００２５】
本発明によれば、第１窓又は第２窓に対向するように試料を設置した場合に、第１入射状態と第２入射状態とを容易に切り替えて、透過測定及び反射測定を行うことができるため、試料の透過測定及び反射測定を円滑に行うことができる。
【図面の簡単な説明】
【００２６】
【図１】本発明の一実施形態に係る分光光度計の構成例を示した概略図である。
【図２】積分球の構成例を示した概略断面図であり、（ａ）は透過測定を行う場合、（ｂ）は反射測定を行う場合をそれぞれ示している。
【図３】積分球に対する測定光の入射状態を切り替える際の態様について説明するための概略図であり、（ａ）は透過測定を行う場合、（ｂ）は反射測定を行う場合をそれぞれ示している。
【図４】本発明の別の実施形態に係る分光光度計において積分球に対する測定光の入射状態を切り替える際の態様について説明するための概略図であり、（ａ）は透過測定を行う場合、（ｂ）は反射測定を行う場合をそれぞれ示している。
【図５】図４の積分球の構成例を示した概略断面図であり、（ａ）は透過測定を行う場合、（ｂ）は反射測定を行う場合をそれぞれ示している。
【図６】本発明のさらに別の実施形態に係る分光光度計において積分球に対する測定光の入射状態を切り替える際の態様について説明するための概略図であり、（ａ）は透過測定を行う場合、（ｂ）は反射測定を行う場合をそれぞれ示している。
【発明を実施するための形態】
【００２７】
図１は、本発明の一実施形態に係る分光光度計の構成例を示した概略図である。この分光光度計は、積分球１を用いて試料Ｓの分光測定を行うためのものであり、当該積分球１以外に、光源２、分光器３、検出器４、アンプ５及びＡＤ変換器６などを備えている。光源２から照射される測定光は、分光器３で分光された後、積分球１の内部に入射する。
【００２８】
積分球１は、中空状の球体からなり、その内面に酸化チタンなどの白色塗料が塗布されることにより、白色の拡散反射面が形成されている。図１の例では、試料Ｓの透過測定を行う場合の構成が示されており、分光器３からの測定光が試料Ｓを透過し、その透過光が積分球１の内部に入射するようになっている。
【００２９】
積分球１の内部に入射した測定光（透過光）は、標準白板７で拡散反射し、積分球１の内面でさらに複数回の拡散反射が繰り返された後、検出器４により検出される。検出器４からの検出信号は、アンプ５により増幅され、ＡＤ変換器６によりデジタル信号に変換された後、制御部（図示せず）に入力されて分析が行われる。
【００３０】
試料Ｓの反射測定を行う場合には、標準白板７が取り外されるとともに、図１に破線で示すように測定光の入射方向が切り替えられることにより、標準白板７が設けられていた位置から積分球１の内部に測定光が入射される。この場合、分光器３で分光された測定光が、積分球１の内部に入射して試料Ｓの表面で拡散反射し、積分球１の内面でさらに複数回の拡散反射が繰り返された後、検出器４により検出されることとなる。
【００３１】
図２は、積分球１の構成例を示した概略断面図であり、（ａ）は透過測定を行う場合、（ｂ）は反射測定を行う場合をそれぞれ示している。
【００３２】
積分球１の周面には、第１窓１１及び第２窓１２がそれぞれ異なる位置に形成されている。第１窓１１の外側には、当該第１窓１１に対向するように試料Ｓを設置することができる。一方、第２窓１２の外側には、当該第２窓１２に対向するように標準白板７を設置することができる。この例では、積分球１の最上部に形成された第１窓１１の上方に試料Ｓが設置され、積分球１の最下部に形成された第２窓１２の下方に標準白板７が設置される。
【００３３】
透過測定を行う場合には、図２（ａ）に示すように、試料Ｓを透過した測定光が第１窓１１から積分球１の内部に入射し、第２窓１２を介して標準白板７の表面で拡散反射する。一方、反射測定を行う場合には、図２（ｂ）に示すように、第２窓１２から積分球１の内部に入射した測定光が、第１窓１１を介して試料Ｓの表面で拡散反射する。積分球１の内面で拡散反射が繰り返された後の測定光は、積分球１の周面に形成された検出用窓１３から出射し、検出器４で検出される。
【００３４】
試料Ｓ及び標準白板７の設置位置は、図２のような態様に限らず、例えば標準白板７が第１窓１１の上方に設置され、試料Ｓが第２窓１２の下方に設置されてもよい。試料Ｓが固体の場合には、第１窓１１の上方又は第２窓１２の下方のいずれにも試料Ｓを設置することができる。これに対して、試料Ｓが粉体の場合には、試料Ｓを保持する試料支持体（図示せず）を第２窓１２の下方に設置することにより、試料Ｓが積分球１内にこぼれるのを防止することができる。
【００３５】
試料Ｓ及び標準白板７は、積分球１に対してずれないように着脱されるような構成であってもよいし、水平面上に設置される場合には、単に載置されるだけの構成であってもよい。また、試料Ｓ及び標準白板７は、第１窓１１及び第２窓１２にそれぞれ対向するように設置されるものであれば、積分球１に対して一体的に設置されるような構成に限らず、積分球１とは分離して設置されるような構成であってもよい。
【００３６】
この例では、上述の測定光の他に、参照光を積分球１の内部に入射させることができるようになっている。参照光は、試料Ｓの透過測定又は反射測定を行う際の基準となる光の強度を測定するために、積分球１の内部に入射される。積分球１の周面には、第１窓１１及び第２窓１２とは異なる位置に、参照光を入射させるための参照光入射用窓１４が形成されている。
【００３７】
また、積分球１の周面には、参照光反射用窓１５が形成されており、当該参照光反射用窓１５に対向するように標準白板８が設置されている。これにより、参照光入射用窓１４から積分球１の内部に入射した参照光は、参照光反射用窓１５を介して標準白板８の表面で拡散反射し、積分球１の内面でさらに複数回の拡散反射が繰り返された後、検出用窓１３から出射して検出器４で検出されるようになっている。
【００３８】
第１窓１１、第２窓１２、検出用窓１３、参照光入射用窓１４及び参照光反射用窓１５は、それぞれ上記のような位置に形成された構成に限らず、積分球１の周面における他の位置に形成されていてもよい。この場合、第１窓１１及び第２窓１２は、積分球１の最上部及び最下部にそれぞれ形成された構成に限られるものではない。
【００３９】
図３は、積分球１に対する測定光の入射状態を切り替える際の態様について説明するための概略図であり、（ａ）は透過測定を行う場合、（ｂ）は反射測定を行う場合をそれぞれ示している。測定光は、光学系２１により積分球１に導かれる。光学系２１には、例えば複数のミラー２１ａ，２１ｂ，２１ｃが備えられており、これらのミラー２１ａ，２１ｂ，２１ｃで測定光を反射させて積分球１に導くことができる。
【００４０】
光学系２１の各ミラー２１ａ，２１ｂ，２１ｃは一体的に保持されており、例えばモータなどにより構成される入射切替機構３１を用いて、光学系２１が回転軸３１ａを中心に回転されることにより、図３（ａ）に示すような第１入射状態と、図３（ｂ）に示すような第２入射状態とに、積分球１に対する測定光の入射状態を切り替えることができるようになっている。
【００４１】
図３（ａ）に示すような第１入射状態では、試料Ｓを透過した測定光が第１窓１１から積分球１の内部に入射し、第２窓１２に導かれることにより、当該第２窓１２に対向するように設けられた標準白板７の表面で測定光が拡散反射する。一方、図３（ｂ）に示すような第２入射状態では、第２窓１２から積分球１の内部に入射した測定光が、第１窓１１に導かれることにより、当該第１窓１１に対向するように設けられた試料Ｓの表面で測定光が拡散反射する。
【００４２】
回転軸３１ａは、積分球１の中心Ｃを通るように設定されており、第１窓１１及び第２窓１２が回転軸３１ａに対して対象配置されている。図３（ａ）に示すような第１入射状態では、第１窓１１から入射した測定光が、積分球１の中心Ｃを通って第２窓１２に導かれる。一方、図３（ｂ）に示すような第２入射状態では、第２窓１２から入射した測定光が、積分球１の中心Ｃを通って第１窓１１に導かれる。
【００４３】
光学系２１は、回転軸３１ａに沿って入射する測定光をミラー２１ａで９０°反射させた後、ミラー２１ｂで９０°反射させ、さらにミラー２１ｃで９０°反射させることにより、回転軸３１ａに直交する方向に沿って測定光を積分球１の内部に入射させる。ただし、光学系２１は、このような構成に限られるものではなく、他の各種構成を採用することができる。
【００４４】
このように、本実施形態では、積分球１に対する測定光の入射状態を入射切替機構３１で切り替えることにより、第１窓１１から積分球１の内部に測定光を入射させて第２窓１２に導く第１入射状態（図３（ａ）参照）と、第２窓１２から積分球１の内部に測定光を入射させて第１窓１１に導く第２入射状態（図３（ｂ）参照）とに容易に切り替えることができる。これにより、第１窓１１又は第２窓１２（図３の例では第１窓１１）に対向するように試料Ｓを設置した場合に、第１入射状態と第２入射状態とを容易に切り替えて、透過測定及び反射測定を行うことができるため、試料Ｓの透過測定及び反射測定を円滑に行うことができる。
【００４５】
また、本実施形態では、回転軸３１ａを中心に光学系２１を回転させるだけの作業で、第１入射状態と第２入射状態とを容易に切り替えて、透過測定及び反射測定を行うことができるため、試料Ｓの透過測定及び反射測定をより円滑に行うことができる。
【００４６】
特に、積分球１は回転しないため、透過測定及び反射測定のいずれにおいても同じ位置に試料Ｓを設置し、光学系２１を回転させるだけで、透過測定及び反射測定を切り替えることができる。したがって、試料Ｓの設置位置が分かりやすく、測定作業を効果的に円滑化することができる。
【００４７】
また、試料Ｓが粉体である場合などのように、試料Ｓの設置位置によっては試料Ｓがこぼれてしまうような場合であっても、試料Ｓがこぼれないような設置位置（例えば第２窓１２に対向する位置）に設定することにより、透過測定及び反射測定のいずれにおいても試料がこぼれるのを防止することができる。
【００４８】
さらに、本実施形態では、回転軸３１ａを中心に光学系２１を回転させた場合に、測定光に対する第１窓１１及び第２窓１２の位置が、第１入射状態と第２入射状態とで入れ替わり、いずれの入射状態においても、第１窓１１又は第２窓１２の一方から入射した測定光が積分球１の中心Ｃを通って他方に導かれる。したがって、第１入射状態と第２入射状態とで光学系２１の構成を変更する必要がなく、より簡易な構成を用いて円滑に測定を行うことができる。
【００４９】
図４は、本発明の別の実施形態に係る分光光度計において積分球１に対する測定光の入射状態を切り替える際の態様について説明するための概略図であり、（ａ）は透過測定を行う場合、（ｂ）は反射測定を行う場合をそれぞれ示している。測定光は、光学系２２により積分球１に導かれる。光学系２２には、例えば複数のミラー２２ａ，２２ｂ，２２ｃが備えられており、これらのミラー２２ａ，２２ｂ，２２ｃで測定光を反射させて積分球１に導くことができる。
【００５０】
積分球１は、所定の回転軸３２ａを中心に回転可能となっており、例えばモータなどにより構成される入射切替機構３２を用いて、積分球１が回転軸３２ａを中心に回転されることにより、図４（ａ）に示すような第１入射状態と、図４（ｂ）に示すような第２入射状態とに、積分球１に対する測定光の入射状態を切り替えることができるようになっている。
【００５１】
図４（ａ）に示すような第１入射状態では、試料Ｓを透過した測定光が第１窓１１から積分球１の内部に入射し、第２窓１２に導かれることにより、当該第２窓１２に対向するように設けられた標準白板７の表面で測定光が拡散反射する。一方、図４（ｂ）に示すような第２入射状態では、第２窓１２から積分球１の内部に入射した測定光が、第１窓１１に導かれることにより、当該第１窓１１に対向するように設けられた試料Ｓの表面で測定光が拡散反射する。
【００５２】
回転軸３２ａは、積分球１の中心Ｃを通るように設定されており、第１窓１１及び第２窓１２が回転軸３２ａに対して対象配置されている。図４（ａ）に示すような第１入射状態では、第１窓１１から入射した測定光が、積分球１の中心Ｃを通って第２窓１２に導かれる。一方、図４（ｂ）に示すような第２入射状態では、第２窓１２から入射した測定光が、積分球１の中心Ｃを通って第１窓１１に導かれる。
【００５３】
光学系２２は、回転軸３２ａに沿って入射する測定光をミラー２２ａで９０°反射させた後、ミラー２２ｂで９０°反射させ、さらにミラー２２ｃで９０°反射させることにより、回転軸３２ａに直交する方向に沿って測定光を積分球１の内部に入射させる。ただし、光学系２２は、このような構成に限られるものではなく、他の各種構成を採用することができる。
【００５４】
このように、本実施形態では、積分球１に対する測定光の入射状態を入射切替機構３２で切り替えることにより、第１窓１１から積分球１の内部に測定光を入射させて第２窓１２に導く第１入射状態（図４（ａ）参照）と、第２窓１２から積分球１の内部に測定光を入射させて第１窓１１に導く第２入射状態（図４（ｂ）参照）とに容易に切り替えることができる。これにより、第１窓１１又は第２窓１２（図４の例では第１窓１１）に対向するように試料Ｓを設置した場合に、第１入射状態と第２入射状態とを容易に切り替えて、透過測定及び反射測定を行うことができるため、試料Ｓの透過測定及び反射測定を円滑に行うことができる。
【００５５】
また、本実施形態では、回転軸３２ａを中心に積分球１を回転させるだけの作業で、第１入射状態と第２入射状態とを容易に切り替えて、透過測定及び反射測定を行うことができるため、試料Ｓの透過測定及び反射測定をより円滑に行うことができる。
【００５６】
この場合、透過測定を行う場合と反射測定を行う場合とで、積分球１の回転に伴い試料Ｓの位置が変化することとなるが、試料Ｓを一定の位置に設置してから必要に応じて積分球１を回転させるような構成とすれば、試料Ｓの設置位置が分かりやすく、測定作業を効果的に円滑化することができる。
【００５７】
さらに、本実施形態では、回転軸３２ａを中心に積分球１を回転させた場合に、測定光に対する第１窓１１及び第２窓１２の位置が、第１入射状態と第２入射状態とで入れ替わり、いずれの入射状態においても、第１窓１１又は第２窓１２の一方から入射した測定光が積分球１の中心Ｃを通って他方に導かれる。したがって、第１入射状態と第２入射状態とで光学系２２の構成を変更する必要がなく、より簡易な構成を用いて円滑に測定を行うことができる。
【００５８】
図５は、図４の積分球１の構成例を示した概略断面図であり、（ａ）は透過測定を行う場合、（ｂ）は反射測定を行う場合をそれぞれ示している。
【００５９】
本実施形態では、参照光を積分球１の内部に入射させるための参照光入射用窓１４として、第１参照光入射用窓１４１及び第２参照光入射用窓１４２が、積分球１の周面における第１窓１１及び第２窓１２とは異なる位置に形成されている。この点を除き、他の構成については上記実施形態の場合と同様であるため、同様の構成については、図に同一符号を付して詳細な説明を省略する。
【００６０】
第１参照光入射用窓１４１及び第２参照光入射用窓１４２は、回転軸３２ａに対して対象配置されている。これにより、回転軸３２ａを中心に積分球１を回転させた場合に、参照光に対する第１参照光入射用窓１４１及び第２参照光入射用窓１４２の位置が、第１入射状態と第２入射状態とで入れ替わるようになっている。
【００６１】
したがって、本実施形態では、一定の位置から照射される参照光を、第１入射状態及び第２入射状態のいずれにおいても参照光入射用窓１４（第１参照光入射用窓１４１又は第２参照光入射用窓１４２）から積分球１の内部に入射させることができるため、参照光の入射位置を切り替えるための作業を行う必要がなく、測定作業をさらに効果的に円滑化することができる。
【００６２】
図６は、本発明のさらに別の実施形態に係る分光光度計において積分球１に対する測定光の入射状態を切り替える際の態様について説明するための概略図であり、（ａ）は透過測定を行う場合、（ｂ）は反射測定を行う場合をそれぞれ示している。測定光は、光学系２３により積分球１に導かれる。光学系２３には、例えば複数のミラー２３ａ，２３ｂ，２３ｃ，２３ｄが備えられており、これらのミラー２３ａ，２３ｂ，２３ｃ，２３ｄで測定光を反射させて積分球１に導くことができる。
【００６３】
上記複数のミラー２３ａ，２３ｂ，２３ｃ，２３ｄの一部（この例では、ミラー２３ｂ，２３ｃ，２３ｄ）は、一体的に保持されており、例えばモータなどにより構成される入射切替機構３３を用いて移動可能となっている。この入射切替機構３３を用いて、ミラー２３ｂ，２３ｃ，２３ｄを測定光の光路上に挿入又は退避させることにより、図６（ａ）に示すような第１入射状態と、図６（ｂ）に示すような第２入射状態とに、積分球１に対する測定光の入射状態を切り替えることができるようになっている。
【００６４】
図６（ａ）に示すような第１入射状態では、ミラー２３ｂ，２３ｃ，２３ｄが測定光の光路上から退避されているため、測定光はミラー２３ａで反射して試料Ｓに入射する。そして、試料Ｓを透過した測定光が第１窓１１から積分球１の内部に入射し、第２窓１２に導かれることにより、当該第２窓１２に対向するように設けられた標準白板７の表面で測定光が拡散反射する。
【００６５】
一方、図６（ｂ）に示すような第２入射状態では、ミラー２３ｂ，２３ｃ，２３ｄが測定光の光路上に挿入されることにより、測定光はミラー２３ｂ，２３ｃ，２３ｄで反射して、第２窓１２から積分球１の内部に入射する。そして、第２窓１２から積分球１の内部に入射した測定光が、第１窓１１に導かれることにより、当該第１窓１１に対向するように設けられた試料Ｓの表面で測定光が拡散反射する。
【００６６】
このように、本実施形態では、光学系２３の一部を測定光の光路上に挿入又は退避させるだけの作業で、第１入射状態と第２入射状態とを容易に切り替えて、透過測定及び反射測定を行うことができるため、試料Ｓの透過測定及び反射測定をより円滑に行うことができる。
【００６７】
また、試料Ｓが粉体である場合などのように、試料Ｓの設置位置によっては試料Ｓがこぼれてしまうような場合であっても、試料Ｓがこぼれないような設置位置に設定することにより、透過測定及び反射測定のいずれにおいても試料がこぼれるのを防止することができる。
【００６８】
この場合、第１入射状態と第２入射状態とで光学系２３の構成を変更し、第１窓１１又は第２窓１２の一方から入射した測定光が積分球１の中心を通らずに他方に導かれるような構成とすることができる。これにより、反射測定を行う場合に、試料Ｓにおける鏡面反射光を含む測定光を検出器４で検出することができるような分光光度計とすることができるため、より適用範囲の広い分光光度計を提供することができる。この場合、試料Ｓの表面に対する測定光の入射角は、５〜１２°であることが好ましく、例えば８°であってもよい。
【００６９】
以上の実施形態では、第１入射状態において透過測定を行い、第２入射状態において反射測定を行うような構成について説明した。しかし、このような構成に限らず、第１入射状態において反射測定を行い、第２入射状態において透過測定を行うような構成であってもよい。
【００７０】
また、第１入射状態において第１窓１１から積分球１の内部に測定光が入射して第２窓１２に導かれ、第２入射状態において第２窓１２から積分球１の内部に測定光が入射して第１窓１１に導かれるような構成であれば、入射切替機構３１〜３３の構成は、上記実施形態のような構成に限られるものではない。
【符号の説明】
【００７１】
１    積分球
２    光源
３    分光器
４    検出器
５    アンプ
６    ＡＤ変換器
７    標準白板
８    標準白板
１１    第１窓
１２    第２窓
１３    検出用窓
１４    参照光入射用窓
１５    参照光反射用窓
２１    光学系
２１ａ〜２１ｃ  ミラー
２２    光学系
２２ａ〜２２ｃ  ミラー
２３    光学系
２３ａ〜２３ｄ  ミラー
３１    入射切替機構
３１ａ  回転軸
３２    入射切替機構
３２ａ  回転軸
３３    入射切替機構
１４１    第１参照光入射用窓
１４２    第２参照光入射用窓
【図１】
2015206610.tif 000003
【図２】
2015206610.tif 000004
【図３】
2015206610.tif 000005
【図４】
2015206610.tif 000006
【図５】
2015206610.tif 000007
【図６】
2015206610.tif 000008